(57)【特許請求の範囲】
【請求項１】
熱交換器（４）と、この熱交換器（４）からのドレンを溜めるドレンパン（６）と、前記熱交換器（４）に空気を供給するための送風機（７）と、前記熱交換器（４）を通過した空気の吹出し方向を変えるための風向変更装置（８）とを備え、この風向変更装置（８）は、通風路を構成する吹出枠（２２）の少なくとも一部を形成する上側の枠体（８Ｃ）と下側の枠体（８Ｈ）、これら上下の枠体（８Ｃ、８Ｈ）にそれぞれ支持部（８Ｊ、８Ｋ）で支持される複数の風向変更板（８Ａ、８Ａ）、及びこれら複数の風向変更板（８Ａ、８Ａ）の方向を連動させるための連動板（８Ｄ）とで構成される共に、これら上下の枠体（８Ｃ、８Ｈ）、複数の風向変更板（８Ａ、８Ａ）及び連動板（８Ｄ）を合成樹脂で一体成形して成る空気調和機において、
前記風向変更板（８Ａ、８Ａ）の前面側あるいは背面側のいずれか一方側に前記支持部（８Ｊ、８Ｋ）を位置させると共に、前記風向変更板（８Ａ、８Ａ）の他方側に略球面状のストッパ片（８Ｅ）を設け、
前記ストッパ片（８Ｅ）に嵌合する円弧状に配列して設けた多数の窪み（２２Ｃ、２２Ｃ）を前記吹出枠（２２）に備え、
前記風向変更装置（８）の前記上側の枠体（８Ｃ）には、この風向変更装置（８）を前記ドレンパン（６）に止めるための止め部（８Ｂ）と、ドレンパン（６）の外側前面に付設される断熱材（２１）を保持するための押え部（８Ｆ）とが、一体に形成されていることを特徴とする空気調和機。
【発明の詳細な説明】
【０００１】
【発明の属する技術分野】
この発明は、空気の吹出し方向を変更する風向変更装置を備えた空気調和機に関する。
【０００２】
【従来の技術】
複数の風向変更板を連動板でつなぎ、風向変更板の方向を一度に変更する風向変更装置は実公昭６１-２３２２５号公報に記載されたものがある。この公報に記載の風向変更装置は、一般に合成樹脂で風向変更板と連動板を別部品として形成し、これらを吹出枠を構成する枠体に組付けているものである。
【０００３】
【発明が解決しようとする課題】
前述した風向変更装置では、その組立てに手間と時間がかかる、すなわちコストがかかるので、風向変更板、連動板、枠体を合成樹脂で一体成形したものもある（特開平８-１７８３４３号公報参照）。このように、風向変更板、連動板、枠体を一体成形したものにおいては、金型で一度に風向変更装置を成形でき、組立コストを低く抑えてコストダウンに役立つものであるが、その風向変更板の方向を定めるストッパの摩擦などが小さいと、風向変更板が元の位置に戻ってしまうことがある。これは、合成樹脂で一体に風向変更板や枠体を成形しているので、これら部品がつながっており、金型で成形された方向以外に風向板が向けられた場合、金型で成形された方向に、その弾性力によって戻ろうとする力が加わりやすいためである。また、摩擦を大きくすると風向変更板の方向を変えるときに大きな力を必要とし、あまり望ましくない。
【０００４】
この発明は、風向変更板の方向を定められるようにした風向変更装置を備えた空気調和機を提供するものである。
【０００５】
【課題を解決するための手段】
前記課題を解決するために、請求項１に記載の発明は、熱交換器（４）と、この熱交換器（４）からのドレンを溜めるドレンパン（６）と、前記熱交換器（４）に空気を供給するための送風機（７）と、前記熱交換器（４）を通過した空気の吹出し方向を変えるための風向変更装置（８）とを備え、この風向変更装置（８）は、通風路を構成する吹出枠（２２）の少なくとも一部を形成する上側の枠体（８Ｃ）と下側の枠体（８Ｈ）、これら上下の枠体（８Ｃ、８Ｈ）にそれぞれ支持部（８Ｊ、８Ｋ）で支持される複数の風向変更板（８Ａ、８Ａ）、及びこれら複数の風向変更板（８Ａ、８Ａ）の方向を連動させるための連動板（８Ｄ）とで構成される共に、これら上下の枠体（８Ｃ、８Ｈ）、複数の風向変更板（８Ａ、８Ａ）及び連動板（８Ｄ）を合成樹脂で一体成形して成る空気調和機において、前記風向変更板（８Ａ、８Ａ）の前面側あるいは背面側のいずれか一方側に前記支持部（８Ｊ、８Ｋ）を位置させると共に、前記風向変更板（８Ａ、８Ａ）の他方側に略球面状のストッパ片（８Ｅ）を設け、前記ストッパ片（８Ｅ）に嵌合する円弧状に配列して設けた多数の窪み（２２Ｃ、２２Ｃ）を前記吹出枠（２２）に備え、前記風向変更装置（８）の前記上側の枠体（８Ｃ）には、この風向変更装置（８）を前記ドレンパン（６）に止めるための止め部（８Ｂ）と、ドレンパン（６）の外側前面に付設される断熱材（２１）を保持するための押え部（８Ｆ）とが、一体に形成されていることを特徴とする。
【０００６】
【０００７】
【０００８】
【０００９】
【発明の実施の形態】
本発明の空気調和機の実施例を図面に基づき説明する。図１に示す１は分離型空気調和機の室内機（空気調和機）で、図示しない室外機とユニット間配管で接続されるものである。
【００１０】
この室内機１の外装体は、前面側の外装体２Ａと、この外装体に着脱自在に取付けられる吸込グリル２Ｂと、背面側の外装体２Ｃとで構成されている。３は据付板で、この据付板は室内壁の上部に取付けられ、この据付板に前記室内機１が引掛けられて据付けられるものである。４は熱交換器で、冷房運転やドライ運転時に冷却器として機能し、暖房運転時には加熱器として機能するものである。５は空気清浄フィルタの保持部、６はドレンパン、７はクロスフローファン（送風機）、８Ａは縦羽根とも呼ばれている風向変更羽根（風向変更板）、９は横羽根とも呼ばれている風向変更羽根、１０は収納空間で、梱包時や左配管時に熱交換器４から延びた補助冷配管が収納される。１１はこの収納空間１０の外装体２Ｃに取付けられる断熱材である。
【００１１】
尚、空気清浄フィルタや、このフィルタと吸込グリルとの間に配置されるエアフィルタは図示しない。
【００１２】
１２は補助配管押えで、収納空間１０の中間部分で補助冷媒管１３を押えるものである。また、この補助冷媒管１３と室内機１の左側からのユニット間配管とをつなぐ場合には、据付板３の引掛片３Ａに室内機１を引掛けている状態で、この補助配管押え１２を回動させて据付板３に突っ張らせることによって、室内機１を据付板３から浮かせることができ、室内機１と据付板３との間を作業空間として利用することができるようになっている。
【００１３】
図２に示す１４は配管押えで、熱交換器４から延びた補助冷媒管１３を収納空間１０外で押えるものである。１５はこの配管押えの右下部に形成された押え部で、この押え部で図２に示すように室内機背面側から見て断熱材１１の左側上部１１Ａを押えるようにしている。１６は取付け用の開口で、この開口に背面側の外装体２Ａに設けた爪１７が嵌り込むように配管押え１４を外装体に取付けることによって、配管押え１４が外装体２Ｃに取付けられる。
【００１４】
また、１８は配管押え１４に形成されているネジ孔で、このネジ孔にネジを挿入しボス１９にネジ止めすることができるようになっている。このため、前記爪１７が欠けるようなことがあっても、ネジ止めにより配管押え１４を外装体２Ｃに取付けることもできるようになっている。
【００１５】
図３や図４に示す２１は断熱材で、図１や４図に示すように、ドレンパン６の外側前面に風向変更装置８の止め部８Ｂで止められる際に、押え部８Ｆで抑えられる。
【００１６】
８Ｃ、８Ｈは枠体、８Ｄは連動板、８Ｅはストッパ片、８Ｇは吹出枠２２に固定するための固定片で、これら風向変更羽根８Ａ、止め部８Ｂ、枠体８Ｃ、連動板８Ｄ、ストッパ片８Ｅ、押え部８Ｆ、止め部８Ｇ、枠体８Ｈは、例えば射出成形により合成樹脂で一体成形されている。このため、これらを組立てる必要はない。
【００１７】
２２はドレンパン６と合成樹脂で一体成形した吹出枠で、風向変更羽根９も取付けられる。２２Ａは上側の枠、２２Ｂは下側の枠である。
【００１８】
前記ストッパ片８Ｅは、背面側の半分が球状、いわゆる半球状に形成されている（図５、図６参照）。勿論、半球状でなく球状でもよく、その摺動方向に対して、略球面状に形成されていれば摺動がよいので望ましい。
【００１９】
２１Ａは断熱材に形成された切欠きで、ドレンパンの取付具６Ｅと固定片８Ｂとを避けるものである。
【００２０】
図５に示す８Ｊは上側の枠体８Ｃと風向変更板８Ａの前面側（一方側）とをつなぐ支持部で、その拡大円内に図（図６参照）を示すように、そのヒンジ８Ｌ（図６参照）部は肉薄に形成されている。８Ｋは下側の枠部８Ｈと風向変更板８Ａの前面側とをつなぐ支持部で、そのヒンジ部も肉薄に形成されている。このため、風向変更板の方向を変えやすくなっている。８Ｉは開口部で、ワイヤーを通すことによって、人間の指などが空気調和機の奥の方に入りにくくすることができる。
【００２１】
図７に示す２２Ｃは、前記ストッパ片８Ｅが嵌り込む円弧状に配列された（図７を参照）多数の窪みで、これら多数の窪み２２Ｃ、２２Ｃは、吹出枠２２の背面側にあたる下側の枠２２Ｂに形成されており、前面側に設けられた場合に比べて見えにくいため、美観を損なわないようになっている。また、これら多数の窪み２２Ｃ、２２Ｃは、別部品を取り付けるものではなく、吹出枠に一体に設けられているので、取付ける手間などのコストアップを招く要因になりにくい。
【００２２】
このように構成された空気調和機では、その風向変更装置８をドレンパン６に組付ける際に、断熱材２１をドレンパン６の前面側に配置することによって、断熱材２１と一緒に風向変更装置８をドレンパン８に取付けることができるようになっている。これにより、空気調和機の組立てコストを節約することができる。
【００２３】
組立てられた空気調和機が室内壁に据付られると、風向変更装置８の風向変更板８Ａを調整することになる。例えば、室内機１が部屋の隅側に据付けられた場合には、風向変更板８Ａを部屋の中央側に向けた方が部屋の全体を冷房、あるいは暖房することができるので、一般には望ましい。
【００２４】
しかし、このとき、複数の風向変更板８Ａは枠体８Ｃ、８Ｈにその支持部８Ｊ、８Ｋでつながれており、かつ、合成樹脂で一体成形されているので、風向変更板８Ａを変更した方向から、室内機１の前方側に戻りやすい。しかし、この風向変更装置８では、その風向変更板８の背面側にストッパ片８Ｅが設けられており、そのストッパ片８Ｅが、窪み２２Ｃに嵌り込んで固定されるので、その風向変更板８Ａの位置が保持される。このとき、風向変更板８Ａを保持するためのストッパ片８Ｅや、窪み２２Ｃが支持部８Ｊ、８Ｋと離れた位置に設けられているため、その保持する力は小さくても充分に保持できるものである。例えば、支持部近くにストッパ片を設けた場合は、その支点となる支持具に近いため、その保持する力を大きくしなければ、風向変更板の方向を保持できない。また、この保持する力が大きくなるように構成すると、風向変更板の方向を変えるのに大きな力を必要とし、使い勝手が悪くなるものであるが、この実施例に記載のものではその使い勝手が悪くなることもない。
【００２５】
また、窪み２２Ｃとストッパ片８Ｅが室内機１の背面側に位置し、室内機１の吹出口の奥側に位置して見えにくいため、これらが見えることによる風向変更装置８、及び空気調和機の美観を損ねることが極力防止されている。
【００２６】
更に、この風向変更板方向を変更する場合も、ストッパ片が球状に形成されていて、窪みと、窪み同士の間を滑らかに動くので、風向変更板の方向を変えるのも非常に容易となっている。
【００２７】
【発明の効果】
この発明によれば、風向変更板と枠体とをつなぐ支持部の反対側にあたる他方側の風向変更板にストッパ片を形成し、このストッパ片に嵌り合う窪みを備えたので、ストッパ片が支点となる支持具と離れていて小さな力で風向変更板の方向を定めることができ、その風向変更板の方向を変更する場合も小さな力で、方向を変えることができる。また、ストッパ片や、窪みも特別に付加する部品ではなく、風向変更板などと一体に設けられるので、価格の上昇も抑えることができる。
【００２８】
また、ストッパ片を略球面状に形成したことにより、略球面状のストッパ片が窪みと窪み同士の間とを滑らかに動くので、風向変更板の動きがスムーズとなり、風向変更板の方向の変更を行いやすい。
【００２９】
【００３０】
更に、風向変更装置の上側の枠体には、風向変更装置をドレンパンに止めるための止め部と、ドレンパンに取付けられる断熱材を保持するための押え部を一体に形成したので、風向変更装置をドレンパンに取付けると同時に、ドレンパンに断熱材を取付けることができるので、組立てに要する時間と手間とを省き、組立てコストを低下させ、延いては空気調和機の製造コストを低下させることができる。
【図面の簡単な説明】
【図１】  この発明の空気調和機の室内機を示す断面図である。
【図２】  同空気調和機の室内機の背面図である。
【図３】  同空気調和機のドレンパンと断熱材と風向変更装置とを正面側から見た外観図である。
【図４】  空気調和機のドレンパンと断熱材と風向変更装置との関係を示す断面図である。
【図５】  ドレンパンを上方側から見た外観図である。
【図６】  風向変更装置を側面から外観図である。
【図７】  風向変更装置の要部断面図である。
【図８】  図５に示すＶＩＩＩ方向から見た風向変更装置の外観図である。
【図９】  図５に示すＩＸ方向から見た風向変更装置の外観図である。
【符号の説明】
１          室内機（空気調和機）
４          熱交換器
６          ドレンパン
７          クロスフローファン（送風機）
８          風向変更装置
８Ａ        風向変更板
８Ｂ        止め部
８Ｃ        枠体
８Ｄ        連動板
８Ｅ        ストッパ片
８Ｆ        押え部
８Ｊ、８Ｋ    支持部
２１        断熱材
２２Ｃ      窪み
【図１】
0003748961.tif 000002
【図２】
0003748961.tif 000003
【図３】
0003748961.tif 000004
【図４】
0003748961.tif 000005
【図５】
0003748961.tif 000006
【図６】
0003748961.tif 000007
【図７】
0003748961.tif 000008
【図８】
0003748961.tif 000009
【図９】
0003748961.tif 000010